(57)【要約】【課題】  紛失・盗難に遭ったパソコン及び小型電子機器の位置情報及び日時を、ＧＰＳ等より取得し、ログサーバ装置に記録し、ウェブサーバ装置にてユーザーが適宜閲覧できる仕組みを提供する。【解決手段】  パソコン及び小型電子機器が紛失・盗難に遭った場合、パソコン及び小型電子機器に結合された位置情報端末は、複数のＧＰＳ等衛星により位置情報及び日時を取得し、メモリへ記録した位置情報及び日時を、ＷｉＭＡＸ等無線通信手段によりインターネットへ接続し、ログサーバ装置へ位置情報及び日時を送信する。ログサーバ装置が取得した位置情報は、ユーザーがインターネット経由でウェブサーバ装置へ接続して、適宜閲覧することが可能である。ウェブサーバ装置では複数の位置情報及び日時を地図及び写真上に表示が可能である。また、複数の位置情報及び日時から将来の位置を予測して表示することも可能である。【選択図】図１
2011182375.tif 000002
【特許請求の範囲】
【請求項１】
パソコン及び小型電子機器と位置情報端末が、ワイヤー、ネジ、接着剤で物理的に接続され、パソコン及び小型電子機器の紛失位置と同じ位置に位置情報端末が存在している。
【請求項２】
位置情報端末にはメモリが内蔵されており、一定の時間間隔でメモリに記録し続ける。あらかじめ決められた位置情報端末の位置情報及び日時のデータ量の上限まで記録を続け、上限を超えて位置情報及び日時のがメモリに送られると、一番古い日時に記録された位置情報及び日時から順次消去して、新しい位置情報及び日時を記録する。位置情報端末は、ウェブサーバ装置から送られた、メモリに記録されている位置情報をログサーバ装置へ送るよう指示する信号を受信すると、メモリに記録されている複数の位置情報を、位置情報端末内の無線通信部からログサーバ装置へＷｉＭＡＸ等の無線規格を使用した無線を使用し、インターネットに接続されたログサーバ装置に位置情報及び日時を送信する。その際に使用したＷｉＭＡＸ等の無線接続サービスで使用された位置情報装置の識別ＩＤを関連付けて同時にログサーバ装置に記録する。
【請求項３】
位置情報端末から位置情報及び日時を受信したログサーバ装置はウェブサーバ装置と接続されており、ウェブサーバ装置で地図及び写真上に位置情報及び日時を表示させることができる。ユーザーはインターネット経由でウェブサーバ装置に接続し、自己のパソコン及び小型電子機器と位置情報端末の位置を閲覧することが可能である。
【請求項４】
ウェブサーバ装置にて、ログサーバ装置に記録してある位置情報及び日時を基に、位置情報端末の将来位置を予測するように計算して地図もしくは写真上に表示する。
【発明の詳細な説明】
【技術分野】
【０００１】  この発明は、紛失したパソコン及び小型電子機器の追跡及び将来位置予測システム、及びその方法、プログラム、移動体端末に関する。
【背景技術】
【０００２】  位置情報の提供を盗難対策に利用し、盗難車両の位置情報が得られる位置情報監視システムを提供するシステム、及びサービスが存在する。このシステムにおいては、位置情報端末が自己の位置をＧＰＳ等を利用して測位し、位置監視センタから現在位置要求信号を受けると、測位した現在位置情報を送信する。位置監視センタでは、受信した位置情報に基づき適宜の対応をとる。
（例えば、特許文献１参照）【０００３】  ＧＰＳ等の測位方式は、例えば、位置情報端末が、位置監視センタから現在位置要求信号を受けると、ＧＰＳ等衛星から受信したＧＰＳ等信号に基づいて自己の位置情報を算出し、算出した位置情報を位置監視センタに送信する。【０００４】  また、盗難車両の位置情報の提供以外に、ＧＰＳ等測位方式とＲＦＩＤによる位置情報を組み合せ、状況に応じた適切な測位方式で正確な位置を取得可能な位置情報端末及び位置監視センタを提供するシステムが存在する。
（例えば、特許文献２参照）
【先行技術文献】
【特許文献】
【０００５】
【特許文献１】特開２００１−３４３４４６号公報
【特許文献２】特開２００８−５８２０３号公報
【発明の概要】
【発明が解決しようとする課題】
【０００６】  しかし、上述の車載用の位置情報端末（特許文献１）及び位置情報端末及び位置管理センターを提供するシステム（特許文献２）では、パソコン及び小型電子機器と位置情報端末を物理的に結合できないため、パソコン及び小型電子機器の盗難や紛失に対応できないという問題が存在する。パソコン及び小型電子機器を紛失する、もしくは盗難に遭った場合、ＧＰＳ等を利用して位置情報及び日時を取得した位置情報端末とパソコン及び小型電子機器が物理的に結合している必要がある。【０００７】  また、上述の位置情報端末及び位置管理センターを提供するシステム（特許文献２）では、複数の位置情報及び日時をログとして記録して、将来の位置を推測することができないという問題が存在する。将来の位置を推測した情報は、紛失物を取り戻すために必要な情報であるため、将来の位置を推測した情報を提供するサービスが必要である。【０００８】  また、パソコンの位置情報取得のためのソフトウェアも存在するが、パソコンが起動しており、なおかつインターネットに接続していなければ、位置情報を取得することができないという問題が存在する。そのため、パソコンとは別の位置情報端末を使用する必要がある。【０００９】  また、ＧＰＳ等で取得した位置情報端末の位置情報を位置監視センタへ送信して適宜処理する方法（特許文献２）では、位置監視センタの人による操作及び、複雑な処理を経ないと、ユーザーの手元へ情報が届かないため、ユーザーに届くまでにコストと時間がかかるという問題が存在する。そのため、位置情報端末からインターネットに接続されているログサーバ装置へ、位置情報及び日時と位置情報端末の識別ＩＤを自動で送信し、ログサーバ装置へ自動で保存され、保存された位置情報及び日時をユーザーが自由に閲覧できるようにする必要がある。
【課題を解決するための手段】
【００１０】  上記課題を解決するために、本発明の請求項１に記載のパソコンや小型電子機器から独立した位置情報端末は、ＧＰＳ等衛星信号受信部、ＧＰＳ等衛星信号に基づいて現在位置の算出を行うＧＰＳ等測位手段により位置情報端末の位置情報及び日時を取得する位置情報取得制御部、複数の位置情報及び日時を記録するメモリ、無線回線及びインターネットを経由してサーバ装置との送受信を制御する無線制御部、無線通信を行う無線通信部を備える。また、位置情報端末はワイヤー等を備えており、パソコンや小型電子機器と物理的に結合することが可能になっており、紛失したパソコンや小型電子機器と離れることなく、位置情報及び日時をユーザーに提供することが可能となっている。【００１１】  本発明の請求項２に記載された位置情報端末が複数の位置情報及び日時を送信する無線通信には、インターネットに接続するＷｉＭＡＸ等の無線接続サービスを利用する。ＧＰＳ等衛星信号を受信し、算出した位置情報端末の位置情報及び日時を、一定の時間間隔でメモリに記録し続ける。あらかじめ決められた位置情報端末の位置情報及び日時のデータ量の上限まで記録を続け、上限を超えて位置情報及び日時がメモリに送られると、一番古い日時に記録された位置情報及び日時から順次消去して、新しい位置情報及び日時を記録する。位置情報端末は、ウェブサーバ装置から送られた、メモリに記録されている位置情報及び日時をログサーバ装置へ送信指示する信号を受信すると、メモリに記録されている複数の位置情報及び日時を、位置情報端末内の無線通信部からログサーバ装置へＷｉＭＡＸ等の無線接続サービスを使用して送信する。位置情報及び日時を受信したログサーバ装置は、位置情報及び日時と、ＷｉＭＡＸ等の無線接続サービスで使用された位置情報装置の識別ＩＤを自動で記録する。【００１２】  本発明の請求項３に記載された位置情報端末の位置情報及び日時を受信したログサーバ装置は、位置情報及び日時と位置情報装置の識別ＩＤを自動でログとして記録する。ログの閲覧サービスをユーザーへ提供するために、ログを記録したログサーバ装置と、ウェブサーバ装置の間でログの送受信を行い、ウェブサーバ装置でログの閲覧が可能となっている。また、ログを受け取ったウェブサーバ装置は地図及び写真上でログを基に位置情報端末の位置及び移動経路及び日時を示すようにソフトウェア処理を行い、ユーザーが自由に閲覧できるようにする。【００１３】  本発明の請求項４に記載されたウエブサーバ装置にて、位置情報端末の将来位置を予測するように計算して地図もしくは写真上に表示する。予測はウエブサーバ装置の地図及び写真上に表示された最新の位置情報を基点として、最新ではない位置情報とを直線で結び、最新の位置情報方向へ直線を延ばしてできた複数の延長線で囲まれた逆三角錐範囲を表示する。直線の距離は、同じ時間で同じ距離を移動したと仮定して直線を伸ばした距離を表示する。併せて、過去に記録された全ての位置情報及び日時を地図及び写真上に表示させることにより、置き忘れする地点の予測を手助けする。以上の将来位置の予測は全てソフトウェアで自動処理される。
【発明の効果】
【００１４】  パソコン及び小型電子機器から位置情報端末が独立しているため、パソコンや小型端末機器が起動していない場合、もしくはネットワークに接続されていない場合でもＧＰＳ等衛星信号による位置情報及び日時の取得が可能である。【００１５】  位置情報端末は、パソコン及び小型電子機器に物理的に結合できることで、パソコン及び小型電子機器と離れ、ログサーバ装置等に送信された位置情報の位置に、パソコン及び小型電子機器が存在しないという状況を回避できる可能性を高める。【００１６】  位置情報端末はパソコン及び小型電子機器から独立しているので、電池による電気の供給を行うが、ＵＳＢ端子等を備えることにより、パソコン及び小型電子機器が起動している間は充電することが可能である。【００１７】  位置情報端末からログサーバ装置へ位置情報を送信する際に使用する無線に、最新の技術規格であるＷｉＭＡＸ等の無線接続サービスを利用することで、安価にインターネットに接続が可能となり、大容量のデータ通信が可能になることから、より安価でより詳細な複数の位置情報を瞬時に送信することが可能になっている。【００１８】  位置情報端末の将来位置を予測するべく計算して地図及び写真上に表示する。
【図面の簡単な説明】
【００１９】
【図１】本発明における位置情報端末の位置情報及び日時をログサーバ装置へ送り、ウェブサーバ装置で閲覧可能にする構成図である。
【図２】本発明における位置情報端末の構成図である
【符号の説明】
【００２０】  １・・・・・・・ＧＰＳ等人工衛星
２・・・・・・・位置情報端末
３・・・・・・・無線アンテナ
４・・・・・・・インターネット
５・・・・・・・ログサーバ装置
６・・・・・・・ウェブサーバ装置
１０・・・・・・位置情報端末
１１・・・・・・ＧＰＳ等衛星信号受信部
１２・・・・・・位置情報取得制御部
１３・・・・・・メモリ
１４・・・・・・無線制御部
１５・・・・・・無線通信部
１６・・・・・・電源部
１７・・・・・・電池
【発明を実施するための形態】
【００２１】  以下、図面に基づき、本発明の実施の形態について詳細に説明する。図１のパソコン及び小型電子機器は、ワイヤー等で位置情報端末２と物理的に結合されている。そのため、パソコン及び小型電子機器の紛失位置と同じ位置に位置情報端末２が存在している。なお、接続に使われる装置はワイヤーに限らず、ネジ、接着剤を含む。
【００２２】  図１に示すように、複数のＧＰＳ等人工衛星１が出す位置特定用の信号を、位置情報端末２が受信して、位置情報及び日時を取得する。位置情報端末２は、常時複数のＧＰＳ等人工衛星１が出す位置特定用の信号を受信し続けて、一定の時間間隔で取得した位置情報及び日時を順次記録し続ける。位置情報端末２は、ウェブサーバ装置６から、位置情報及び日時の送信を指示する信号を受信すると、ログサーバ装置５へ向けて、記録された位置情報及び日時を送信する。送信経路は、位置情報端末２からＷｉＭＡＸ等の無線を使用し、無線アンテナ３を経由してインターネット４に接続し、ログサーバ装置５へ接続する。
【００２３】  なお、複数のＧＰＳ等人工衛星１は、ＧＰＳ以外の、位置特定用の信号を送信する人工衛星も含む。
【００２４】  図１において、ログサーバ装置５は、ウェブサーバ装置６とも接続しており、ログサーバ装置５で受信した位置情報及び日時を、インターネット４に接続したユーザー７が閲覧することができるように、ウェブサーバ装置６は位置情報及び日時をログサーバ装置５から取得する。ユーザー７は、自己が所有するパソコン及び小型電子機器の位置情報及び日時を閲覧するために、インターネット４に接続し、ウェブサーバ装置６に接続する。ユーザーはＷｉＭＡＸ等の無線接続サービスで使用された位置情報装置の識別ＩＤに対応した自己の位置情報及び日時のみ閲覧可能なように、ログサーバ装置５及びウェブサーバは管理６されている。
【００２５】  図１のウェブサーバ装置６は、ログサーバ装置５から取得した位置情報端末２の位置情報及び日時を、地図及び写真上に表示させるためのソフトウェア及びシステムを備えており、ユーザーが位置情報及び日時を把握し易いように加工することが可能である。
【００２６】  また、図１のウェブサーバ装置６において、地図及び写真上に表示された複数の位置情報端末２の位置情報及び日時は、複数の位置情報端末２の位置情報及び日時を組み合わせて計算処理し、位置特定端末２の将来の位置と日時を予測するソフト及びシステムを備えており、ユーザー７が、予測された位置情報端末２の将来の位置と日時を地図及び写真上で閲覧することが可能である。
【００２７】  続いて、図２の位置情報端末７の内部について説明する。図２の位置情報端末１０では、衛星信号受信部１１で受信した複数のＧＰＳ等人工衛星から発信された位置特定用の信号を、位置情報取得制御部１２へ送り、位置情報取得制御部１２で位置情報及び日時を取得し、取得された位置情報及び日時をメモリ１３に記録する。メモリ１３は位置情報及び日時の記録を続け、位置情報及び日時のあらかじめ決められたデータ量を超えて、位置情報取得制御部１２から位置情報及び日時が送られてきた場合は、メモリ１３に記録されている一番古い位置情報及び日時を消去し、位置情報取得制御部１２から送られてきた新しい位置情報及び日時を記録する。
【００２８】  図２において、上記の動作に加え、図１のウェブサーバ装置６から送られてくる位置情報及び日時の送信指示する信号を、図２の無線通信部１５が受信すると、無線制御部１４が、メモリ１３が記録した位置情報及び日時を取り出して、無線通信部１５から図１のログサーバ装置５へ向けて、位置情報及び日時を送信する。
【００２９】  図２の電源部１６は、電池１７を備えており、位置情報装置１０の駆動用電源となっている。電源部１６は充電用のＵＳＢ端子を備えており、電池１７の充電をＵＳＢ端子で行うことが可能となっている。
【図１】
2011182375.tif 000003
【図２】
2011182375.tif 000004